(57)【要約】【課題】化粧用スリーブの装着が容易であるとともに、いたずらでスリーブが外されにくいワイヤの固定金具を提供すること。【解決手段】ワイヤ１の端部に固定した雌ねじ部材２を、固定側部材３に取り付けたボルト４に螺合することによりワイヤ１を張設するようにしている。  そして、このワイヤの固定金具は、内周面に周溝５１を形成したスリーブ５を、ボルト４のねじ部に外装するとともに、ボルト４に取り付けた固定部材６のばね片６１をスリーブ５の周溝５１に嵌合する。【選択図】図１
2009138894.tif 000002
【特許請求の範囲】
【請求項１】
ワイヤの端部に固定した雌ねじ部材を、固定側部材に取り付けたボルトに螺合することによりワイヤの張設を行うワイヤの固定金具において、内周面に周溝を形成したスリーブを、ボルトのねじ部に外装するとともに、ボルトに取り付けた固定部材のばね片をスリーブの周溝に嵌合するようにしたことを特徴とするワイヤの固定金具。
【請求項２】
固定部材が、ボルトが挿通する座金部と、スリーブの周溝に嵌合する突起を備えて座金部から立設された複数のばね片とからなり、前記座金部をばね片側から固定ナットによりボルトに固定するようにしたことを特徴とする請求項１記載のワイヤの固定金具。
【発明の詳細な説明】
【技術分野】
【０００１】
本発明は、ワイヤの固定金具に関し、特に、化粧用スリーブの装着が容易であるとともに、いたずらでスリーブが外されにくいワイヤの固定金具に関するものである。
【背景技術】
【０００２】
ワイヤは、単に建材というだけではなく、ワイヤならでは設計の自由度から、建築の意匠を構築する重要な素材としても広く使用されている。
例えば、ワイヤと固定金具で格子状の垣根を形成し、壁面とのスペースを保ちながら植物をはわせる壁面緑化等にも使用されている。
【０００３】
ところで、ワイヤを張設する際に使用される固定金具としては、図３に示すように、ワイヤ１の端部に固定した雌ねじ部材２を、壁等の固定側部材３に取り付けたボルト４に螺合することによりワイヤ１の張設を行うワイヤの固定金具がある。
この固定金具は、雌ねじ部材２とボルト４の螺合深さにより、ワイヤ１のテンション調整を行うとともに、ボルト４のねじ部に、化粧用スリーブとしてカバーナット９を外装することにより、ねじ部を隠して美観の向上を図っている。
カバーナット９は、先端部のみに雌ねじ９１を設けた金属筒体からなり、ボルト４にねじ固定される。
【０００４】
しかしながら、上記従来のワイヤの固定金具では、カバーナット９をボルト４にねじ固定することから、いたずらで回して外されることがあり、また、回して固定するため、多数のワイヤを張設するのに装着が手間であるという問題を有している。
【発明の開示】
【発明が解決しようとする課題】
【０００５】
本発明は、上記従来のワイヤの固定金具が有する問題点に鑑み、化粧用スリーブの装着が容易であるとともに、いたずらでスリーブが外されにくいワイヤの固定金具を提供することを目的とする。
【課題を解決するための手段】
【０００６】
上記目的を達成するため、本発明のワイヤの固定金具は、ワイヤの端部に固定した雌ねじ部材を、固定側部材に取り付けたボルトに螺合することによりワイヤの張設を行うワイヤの固定金具において、内周面に周溝を形成したスリーブを、ボルトのねじ部に外装するとともに、ボルトに取り付けた固定部材のばね片をスリーブの周溝に嵌合するようにしたことを特徴とする。
【０００７】
この場合において、固定部材が、ボルトが挿通する座金部と、スリーブの周溝に嵌合する突起を備えて座金部から立設された複数のばね片とからなり、前記座金部をばね片側から固定ナットによりボルトに固定するようにすることができる。
【発明の効果】
【０００８】
本発明のワイヤの固定金具によれば、ワイヤの端部に固定した雌ねじ部材を、固定側部材に取り付けたボルトに螺合することによりワイヤの張設を行うワイヤの固定金具において、内周面に周溝を形成したスリーブを、ボルトのねじ部に外装するとともに、ボルトに取り付けた固定部材のばね片をスリーブの周溝に嵌合するようにしたことから、スリーブをボルトに沿って押し込むだけで固定部材のばね片により嵌合固定することができ、これにより、ボルトのねじ部を化粧するスリーブの装着を容易にするとともに、回しても外れない構造により、いたずらによるスリーブの取り外しを防止することができる。
【０００９】
また、固定部材が、ボルトが挿通する座金部と、スリーブの周溝に嵌合する突起を備えて座金部から立設された複数のばね片とからなり、前記座金部をばね片側から固定ナットによりボルトに固定するようにすることにより、固定部材をボルトに簡易に取り付けることができる。
【発明を実施するための最良の形態】
【００１０】
以下、本発明のワイヤの固定金具の実施の形態を、図面に基づいて説明する。
【実施例１】
【００１１】
図１〜図２に、本発明のワイヤの固定金具の一実施例を示す。
このワイヤの固定金具は、ワイヤ１の端部に固定した雌ねじ部材２を、壁等の固定側部材３に取り付けたボルト４に螺合することによりワイヤ１を張設するようにしている。
そして、このワイヤの固定金具は、内周面に周溝５１を形成したスリーブ５を、ボルト４のねじ部に外装するとともに、ボルト４に取り付けた固定部材６のばね片６１をスリーブ５の周溝５１に嵌合するようにしている。
【００１２】
雌ねじ部材２は、ワイヤ１を適当な長さに切断し、このワイヤ１の端部を基部側に挿入した後、かしめて固定するようにしている。
また、雌ねじ部材２の先端側には、長ナット状に雌ねじ２１が形成されており、この雌ねじ２１へのボルト４の螺合深さにより、張設したワイヤ１のテンション調整を行うようにしている。
【００１３】
ボルト４は、本実施例では、頭部のない全ねじからなり、先端部に螺合する袋ナット７により固定側部材３に係止するようにしているが、頭部を備えたボルトを用いることもできる。
また、本実施例では、ロックナット８をボルト４の基部側に配設することにより、ボルト４に螺合した雌ねじ部材２を任意の位置で固定できるようにしている。
【００１４】
スリーブ５は、雌ねじ部材２やロックナット８が挿通しうる内径の金属筒体からなり、ボルト４のねじ部を化粧して隠せる長さに設けられている。
スリーブ５の先端部の内周面には、固定部材６のばね片６１が付勢された状態で嵌合する環状の周溝５１が形成されている。
【００１５】
固定部材６は、本実施例では、ボルト４が挿通する座金部６２から１対のばね片６１を立設したものからなる。
ばね片６１は、先端部に突起６３を有し、該突起６３が、拡開方向に付勢された状態でスリーブ５の周溝５１に嵌合する。
固定部材６は、座金部６２が固定ナット６４により、ばね片６１側から固定側部材３に押し当てるように固定されており、スリーブ５を装着した状態では、ばね片６１の基部が固定ナット６４とスリーブ５に挟まれるようにしている。
【００１６】
次に、本実施例のワイヤの固定金具の取付方法を説明する。
まず、固定側部材３に設けた穴にボルト４を挿入し、ボルト４の先端部に袋ナット７を螺合するとともに、ボルト４に基部側から固定部材６を挿入し、固定ナット６４により固定側部材３と共締めする。
そして、雌ねじ部材２のワイヤ１にスリーブ５を通してから、雌ねじ部材２をボルト４の基部側に螺合し、適度なテンションでワイヤ１を張設した後、雌ねじ部材２をロックナット８で固定する。
最後に、ワイヤ１に通していたスリーブ５をボルト４に沿って固定側部材３まで押し込むと、スリーブ５の周溝５１に固定部材６のばね片６１が嵌合して、スリーブ５が固定される。
【００１７】
かくして、本実施例のワイヤの固定金具は、ワイヤ１の端部に固定した雌ねじ部材２を、固定側部材３に取り付けたボルト４に螺合することによりワイヤ１の張設を行うワイヤの固定金具において、内周面に周溝５１を形成したスリーブ５を、ボルト４のねじ部に外装するとともに、ボルト４に取り付けた固定部材６のばね片６１をスリーブ５の周溝５１に嵌合することから、スリーブ５をボルト４に沿って押し込むだけで固定部材６のばね片６１により嵌合固定することができ、これにより、ボルト４のねじ部を化粧するスリーブ５の装着を容易にするとともに、回しても外れない構造により、いたずらによるスリーブ５の取り外しを防止することができる。
【００１８】
また、固定部材６が、ボルト４が挿通する座金部６２と、スリーブ５の周溝５１に嵌合する突起６３を備えて座金部６２から立設された複数のばね片６１とからなり、前記座金部６２をばね片６１側から固定ナット６４によりボルトに固定するようにすることにより、固定部材６をボルト４に簡易に取り付けることができる。
【００１９】
以上、本発明のワイヤの固定金具について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２０】
本発明のワイヤの固定金具は、化粧用スリーブの装着が容易であるとともに、いたずらでスリーブが外されにくいという特性を有していることから、壁面緑化のために用いられるワイヤのほか、ガードレール等の柵体に用いられるワイヤ等の固定金具として、広く適に用いることができる。
【図面の簡単な説明】
【００２１】
【図１】本発明のワイヤの固定金具の一実施例を示す断面図である。
【図２】同ワイヤの固定金具を示し、（ａ）はその正面図、（ｂ）はスリーブの一部断面正面図、（ｃ）はボルトと固定部材を示す正面図、（ｄ）は固定部材の平面図、（ｅ）は雌ねじ部材の断面図である。
【図３】従来のワイヤの固定金具を示す断面図である。
【符号の説明】
【００２２】
１    ワイヤ
２    雌ねじ部材
２１  雌ねじ
３    固定側部材
４    ボルト
５    スリーブ
５１  周溝
６    固定部材
６１  ばね片
６２  座金部
６３  突起
６４  固定ナット
７    袋ナット
８    ロックナット
【図１】
2009138894.tif 000003
【図２】
2009138894.tif 000004
【図３】
2009138894.tif 000005